(57)【要約】【課題】機械室の扉の前の空間を有効利用することを可能とした、扉前収納構造を提案する。【解決手段】居室Ｒと機械室Ｍとを仕切る仕切壁Ｗに設けられた機械室の扉２と、機械室の扉２の居室Ｒ側の正面に配設された収納部３とを備える扉前収納構造１であって、機械室の扉２が、両開き戸であり、収納部３と反対側に開扉し、収納部３は、天井に配設されたレールに吊られて移動することで、閉扉した状態の機械室の扉２と直交する方向に移動可能である。【選択図】図１
2010035573.tif 000002
【特許請求の範囲】
【請求項１】
居室と前記居室に接続する隣部屋とを仕切る仕切壁に設けられた隣部屋の扉と、
前記隣部屋の扉の居室側の正面に配設された収納部と、を備える扉前収納構造であって、
前記収納部が、閉扉した状態の前記隣部屋の扉と直交する方向に移動可能であることを特徴とする、扉前収納構造。
【請求項２】
前記収納部が、天井に配設されたレールに吊られて移動することを特徴とする、請求項１に記載の扉前収納構造。
【請求項３】
前記隣部屋の扉が、片開き戸又は両開き戸であり、前記収納部と反対側に開扉することを特徴とする、請求項１または請求項２に記載の扉前収納構造。
【発明の詳細な説明】
【技術分野】
【０００１】
本発明は、扉前収納構造に関する。
【背景技術】
【０００２】
壁面に沿ってキャビネット等を配置し、収容スペースを確保する場合がある。ところが、居室に接続する部屋（以下、単に「隣部屋」という）が配置されている場合は、隣部屋の扉を開閉するための空間を確保する必要があるため、隣部屋の扉の前にはキャビネットを配置することができなかった。
【０００３】
つまり、隣部屋が機械室や倉庫の場合には、扉は一時的にしか開閉されないにも関わらず、隣部屋の扉の前の空間は、通常時は未使用空間となっているのが一般的である。
【０００４】
一方、例えば特許文献１に示すように、横方向（壁面に沿った方向）にキャビネットをスライドさせることで、収容スペースを確保するスライド式キャビネットが多数開示されている。
【特許文献１】特開平１０−１４６２２５号公報
【発明の開示】
【発明が解決しようとする課題】
【０００５】
ところが、横方向にスライドするキャビネットは、キャビネットを移動するための空間を、キャビネットが移動する方向に確保する必要がある。そのため、居室の壁面に沿って未使用空間が形成されることを解消することはできなかった。
【０００６】
本発明は、前記の問題点を解決することを目的とするものであり、居室に接続する隣部屋の扉の前の空間を有効利用することを可能とした、扉前収納構造を提案することを課題とする。
【課題を解決するための手段】
【０００７】
前記課題を解決するために、本発明は、居室と前記居室に接続する隣部屋とを仕切る仕切壁に設けられた隣部屋の扉と、前記隣部屋の扉の居室側の正面に配設された収納部と、を備える扉前収納構造であって、前記収納部が、閉扉した状態の前記隣部屋の扉と直交する方向に移動可能であることを特徴としている。本発明でいう「隣部屋」とは、居室に直接接続されており、居室から扉を開けて出入りできる部屋、例えば機械室、倉庫等を示す。
【０００８】
かかる扉前収納構造によれば、隣部屋の扉の前の空間を有効利用することが可能となる。しかも、収納部が隣部屋の扉に対して前後方向に移動するため、扉の開閉に支障をきたすこともない。
【０００９】
また、前記扉前収納構造の収納部が、天井に配設されたレールに吊られて移動すれば、床にレール等が配置されないため、床面の平坦性を維持することが可能となる。
【００１０】
また、前記隣部屋の扉が、片開き戸又は両開き戸であり、前記収納部と反対側に開扉すれば、隣部屋に入室時（開口時）において扉を開け放したときでも収納部を壁側に押し付けることが可能となる。そのため、隣部屋で作業等を行う場合であっても、出入りに要するわずかな時間だけ居室側に移動させればよい。また、隣部屋の入室者が隣部屋の扉を開いても、扉が収納部にぶつかることがない。
【発明の効果】
【００１１】
本発明の扉前収納構造によれば、居室に接続する隣部屋の扉の前の空間を収容スペースとして有効利用することが可能となる。
【発明を実施するための最良の形態】
【００１２】
以下、本発明の好適な実施の形態について、図面を参照して詳細に説明する。
本実施形態では、図１(ａ)に示すように、居室Ｒと機械室（隣部屋）Ｍとを仕切る仕切壁Ｗに設けられた機械室の扉２と、機械室の扉２の居室Ｒ側の正面に配設されたラック（収納部）３と、を備える扉前収納構造１について説明する。
【００１３】
機械室の扉２は、図１（ａ）および（ｂ）に示すように、仕切壁Ｗの開口部に設けられた両開き戸であって、ラック３と反対側（機械室Ｍ側）に開扉するように構成されている。なお、機械室の扉２の構成は、前記のものに限定されるものではなく、片開き戸であってもいいし、引き戸であってもよい。また、機械室の扉２は、機械室Ｍ側に開扉するものに限定されるものではなく、居室Ｒ側に開扉するものであってもよい。
【００１４】
ラック３は、図２に示すように、キャビネット等の収納部（図示省略）を載置する枠組みとして構成された枠部材３１と、枠部材３１の上面に設置された複数の移動手段３２，３２，…を備えて構成されている。なお、スチール製書棚等の収納部に直接複数の移動手段３２，３２，…を備えて構成し、収納部を直接吊った状態で移動可能にしてもよい。
【００１５】
ラック３は、天井に設けられたレール４（図２または図３参照）を移動手段３２が走行することで、図１（ａ）および（ｂ）に示すように、閉扉した状態の機械室の扉２と直交する方向（前後方向）に移動する。
【００１６】
枠部材３１は、図１に示すように、Ｌ形鋼や鋼板等の鋼材を組み合わせることにより直方体形状に形成されている。
なお、枠部材３１の形状や構成する材料等は限定されるものではなく、適宜設定することが可能である。
【００１７】
枠部材３１は、図２および図３に示すように、レール４に走行可能に係止された移動手段３２，３２，…を介してレール４に吊下げられている。
【００１８】
移動手段３２は、枠部材３１の上面において、前後に２ヶ所、左右に３ヶ所配設されている。
【００１９】
本実施形態に係る移動手段３２は、２本の回転軸３２ａ，３２ａと、各回転軸３２ａの両端に固定され、回転軸３２ａを中心に回転する車輪３２ｂ，３２ｂと、回転軸３２ａを回転可能に保持するとともに枠部材３１に固定される固定部３２ｃと、を備えて構成されている。
なお、移動手段３２の構成は限定されるものではなく、適宜設定することが可能である。
【００２０】
移動手段３２は、ラック３の上面に固定された固定部３２ｃが、天井板ＣのスリットＣ１およびレール４の開口部を挿通した状態で配置されることで、車輪３２ｂ，３２ｂ，…が、レール４の内側に収容されている。
【００２１】
各車輪３２ｂ，３２ｂ，…は、レール４の内空部に収容された状態で、レール４内を走行する。ラック３は、車輪３２ｂ，３２ｂ，…の走行に伴い、前後方向に移動する。
【００２２】
レール４は、図２および図３に示すように、天井板Ｃの背面（上面）に配設されており、居室Ｒ側からは視認できないように構成されている。
天井板Ｃには、レール４の位置に応じてレール４に沿ったスリットＣ１が形成されている。スリットＣ１には、移動手段３２の固定部３２ｃが挿通される。
【００２３】
レール４は、図３に示すように、断面コ字状のいわゆるトラックレールであって、その開口部が下向きになるように配設されている。レール４の内部には、車輪３２をガイドするガイド溝が形成されている。このガイド溝は、開口部を挟んで両側に形成されている。
【００２４】
レール４は、吊りボルト４１を介して上層階のスラブ（天井スラブＳ１）から吊持されている。なお、レール４の断面形状や寸法等は限定されるものではなく、適宜公知の材料を採用することが可能である。
【００２５】
レール４は、図２に示すように、閉扉状態の機械室の扉２と直交する方向に配設されており、その長さは、ラック３を移動させた状態で、機械室の扉２への人や機材の出入が可能な程度のスペースが確保できる長さとする。
【００２６】
レール４は、その開口部が天井板ＣのスリットＣ１の位置と一致するように配置されている。移動手段３２は、スリットＣ１と開口部とを挿通して、レール４に係止されている。
【００２７】
本実施形態では、所定の間隔により並設された３本のレール４，４，４によりラック３を支持しているが、レール４の本数を限定する趣旨ではない。
【００２８】
レール４の仕切壁Ｗと反対側の先端部は、遮蔽されており、ラック３が移動した際の車輪３２ｂのストッパ（車輪止め）として機能している。なお、車輪止めの構成は限定されるものでぇなく適宜設定することが可能である。
【００２９】
レール４は、図２および図３に示すように、吊りボルト４１により吊持された固定梁４２に固定されていることで、天井板Ｃの上側に配置されている。
【００３０】
固定梁４２は、レール４と直交する向きに配設された断面Ｃ字状の鋼材であって、その開口部が、吊りボルト４１の挿入が可能となるように上向きに開口している。
本実施形態では、所定の間隔により配設された３本の固定梁４２により、３本のレール４，４，４を固定している。
【００３１】
固定梁４２とレール４との固定は、ボルトナットＢＮを介して行っている。なお、固定梁４２とレール４との固定方法は限定されるものではなく、溶接等により行ってもよいし、その他の固定冶具を介して行ってもよい。また、固定梁４２を構成する材料は限定されるものではなく、適宜選定して使用することが可能である。
【００３２】
吊りボルト４１は、ネジ加工が施された鋼棒からなり、天井側に配設された固定梁４２と平行をなす吊りボルト梁４３に上端部が固定されているとともに下端部が固定梁４２に固定されている。
【００３３】
吊りボルト４１は、隣接する他の吊りボルト４１と、振止め部材４４を介して連結されている。このようにすると、吊りボルト４１の揺れが抑止される。
【００３４】
吊りボルト４１同士は、それぞれ２本の振止め部材４４，４４により連結されている。本実施形態では、振止め部材４４として、鋼棒を使用するものとするが、振止め部材４４を構成する材料は限定されるものではない。また、振止め部材４４の吊りボルト４１への固定方法は限定されるものではなく、適宜公知の方法により行うことが可能である。
振止め部材４４同士は、図２および図３に示すように、互いに交差した状態で配設されている。
【００３５】
吊りボルト梁４３は、吊りボルト梁４３と直交する方向に配設されたアンカー梁４５により支持されている。本実施形態では、吊りボルト梁４３として、Ｌ型鋼を使用するものとするが、吊りボルト梁４３を構成する材料は限定されるものではない。
【００３６】
アンカー梁４５は、吊りボルト梁４３を下側から支持する部材であって、天井スラブＳ１に固定されたアンカー４６，４６，…により支持されている。本実施形態では、アンカー梁４５として、Ｌ型鋼を使用する物とするが、アンカー梁４５を構成する材料は限定されるものではない。
【００３７】
本実施形態に係る扉前収納構造１によれば、通常時は、ラック３を介して機械室の扉２の前を収容スペースとして利用するとともに（図４（ａ）参照）、機械室Ｍに出入する際にはラック３を手前に移動させることで機械室の扉２を開閉し、作業員Ｐが機械室Ｍへの出入することが可能となる（図４（ｂ）参照）。
また、ラック３の移動は、移動手段３２がレール４上を走行することにより簡易に行われるため、ラック３に荷物等を収容した状態で行うことが可能である。
【００３８】
また、ラック３は、図４（ａ）および（ｂ）に示すように、機械室の扉２に対して前後方向（閉扉した状態の機械室の扉２と直交する方向）に移動するため、ラック３の両脇に他のラック５，５やキャビネット等が配置されている場合であっても、ラック３の移動に支障をきたすことがない。そのため、仕切壁Ｗの前面を有効に活用することが可能となる。
【００３９】
また、機械室の扉２が、図４（ｃ）に示すように、機械室Ｍ側に開扉するため、機械室の扉２を開扉させた状態でもラック３を機械室の扉２側に押し付けることが可能である。そのため、機械室Ｍ内での作業時も機械室Ｍ前の通行路が遮断されることがない。
また、機械室Ｍ内の作業員Ｐは、ラック３を押し出すのみで機械室Ｍから出ることが可能である。
【００４０】
ラック３は天井に配設されたレール４により吊持されているため、床面にレール等が配設された場合と比較してレール４内にゴミなどが入り込みにくく、車輪３２ｂ等に回転部にゴミが入り込むことが防止される。
【００４１】
また、床にレール４が配設されていないため、床面に凹凸が形成されることがない。
【００４２】
以上、本発明について、好適な実施形態について説明した。しかし、本発明は、前述の各実施形態に限られず、前記の各構成要素については、本発明の趣旨を逸脱しない範囲で、適宜設計変更が可能であることは言うまでもない。
例えば、前記実施形態では、レール４を天井裏（天井板Ｃの背面）に配置するものとしたが、レール４の設置箇所は限定されるものではなく、例えば、床に配設してもよい。さらに、レールを天井と床との両方に配設してもよい。また、レール４は、天井に露出していてもよい。
【００４３】
また、前記実施形態では、ラック３が１つのみ配置されている場合について説明したが、複数の移動可能なラック３，３，…を並設してもよい。
【００４４】
また、レール４の支持構造は限定されるものではなく、適宜設定することが可能である。
【図面の簡単な説明】
【００４５】
【図１】本発明の好適な実施形態に係る扉前収納構造を示す斜視図であって、（ａ）は常時、（ｂ）は機械室利用時をそれぞれ示している。
【図２】図１に示す扉前収納構造を示す縦断面図である。
【図３】図１に示す扉前収納構造を示す立面図である。
【図４】（ａ）〜（ｃ）は図１に示す扉前収納構造の使用方法を示す平面図である。
【符号の説明】
【００４６】
１    扉前収納構造
２    機械室の扉（隣部屋の扉）
３    ラック（収納部）
４    レール
Ｍ    機械室（隣部屋）
Ｒ    居室
Ｗ    仕切壁
【図１】
2010035573.tif 000003
【図２】
2010035573.tif 000004
【図３】
2010035573.tif 000005
【図４】
2010035573.tif 000006